(57)【特許請求の範囲】
【請求項１】
ディスク（３）に記録された情報を再生するピックアップ（２０）及びディスクを回転駆動するディスク駆動モータ（１７）を含むディスク再生機１０と、コンパクトカセット（５）内のテープに記録された情報を再生する、前記ディスク駆動モータより軸方向寸法の大きなテープ駆動モータ（１６）を含むテープ再生機（１１）とを、車両内の所定の収納空間に収まる略直方形のキャビネット（１）内に組み込み、キャビネットの前面（２）には、ディスクを前記ディスク再生機へ記録面を下方に向けて挿入させるデイスク挿入口（４）と、コンパクトカセットを前記テープ再生機へテープ面を右方に向けて挿入させるカセット挿入口（６）とを設けた車載用ディスク及びテープ再生装置において、前記ディスク挿入口の左右幅中心（４ａ）を前記カセット挿入口（６ａ）の左右幅中心より左方に位置させ、且つディスク挿入口を上側にしてディスク挿入口とカセット挿入口とを上下に重ねて配置し、前記ディスク駆動モータを、前記テープ駆動モータより前方で、且つディスク駆動モータの下面をテープ駆動モータの上面より下方に位置させて配置し、前記ディスク挿入口の左右幅中心と前記ディスク駆動モータの中心とを結ぶ線（１９）を、平面図上においてディスクの挿入方向と一致させ、前記ディスク駆動モータと前記キャビネットの左端前部との間を、前記ピックアップの移動領域としたことを特徴とする車載用ディスク及びテープ再生装置。
【請求項２】
前記キャビネット内における、前記テープ再生機の上方で、且つ前記ディスク再生機の右方の空間に、前記ディスク挿入口より挿入されたディスクをディスク再生位置へ搬送するディスクローディング機構（２１）を配置し、前記キャビネット内における、前記ディスク再生機の下方で、且つ前記テープ再生機の左方の空間と、キャビネットの後部空間とに回路部品（２２）を配置したことを特徴とする請求項１に記載の車載用ディスク及びテープ再生装置。
【発明の詳細な説明】
【０００１】
【発明の属する技術分野】
本発明は、ディスク（12センチ径ディスク）に記録された情報を再生するディスク再生機と、コンパクトカセット内のテープに記録された情報を再生するテープ再生機とを、車両内の所定の収納空間(マウンティング・スペース：ＤＩＮ規格では、幅１８０ミリ、高さ５２ミリ、奥行き１７０ミリ)に収まる略直方形のキャビネット内に組み込んだ車載用ディスク及びテープ再生装置に関する。
【０００２】
【従来の技術】
ディスク(12センチ径ディスク)に記録された情報を再生するディスク再生機と、コンパクトカセット内のテープに記録された情報を再生するテープ再生機とを備えた車載用ディスク及びテープ再生装置としては、従来、いわゆるダブルＤＩＮ規格(幅１８０ミリ、高さ１０４ミリ、奥行き１７０ミリ)と称される大型のものが知られている。
ところが、ディスク再生機にはディスクに記録された情報を再生するピックアップ及びディスクを回転駆動するディスク駆動モータが含まれており、テープ再生機にはテープカセット内のテープに記録された情報を再生するテープ駆動モータが含まれているので、ディスク再生機とテープ再生機とを単に上下に重ねたり、平面的に並べて配置したのでは、いわゆる(シングル)ＤＩＮ規格に適合する小型化は望めない。
【０００３】
例えば、ディスク再生機とテープ再生機とを上下に重ねて配置した場合は、高さ寸法を両再生機の高さ寸法の和より小さくできず、両再生機を平面的に並べて配置した場合は、平面図上の寸法を、各再生機の平面図上の寸法の和より小さくできないからである。
【０００４】
【発明が解決しようとする課題】
本発明は、このような問題を解決するためになされたもので、ピックアップ及びディスク駆動モータを含むディスク再生機と、テープ再生機とを車両内の所定の収納空間に収まる略直方形のキャビネット内に組み込み、前記キャビネットの前面には、ディスク挿入口とカセット挿入口とを設けた車載用ディスク及びテープ再生装置を対象とする。
テープ駆動モータは、ディスク駆動モータよりも軸方向寸法が大きい。ディスクは、記録面を下方に向けてディスク挿入口からディスク再生機へ挿入し、コンパクトカセットは、テープ面を右方に向けてカセット挿入口からテープ再生機へ挿入するものとする。
本発明は、このような車載用ディスク及びテープ再生装置において、平面図上の寸法も、高さ寸法も小さくし、ＤＩＮ規格に適合し得る程度に小型化を図ることを目的とする。
【０００５】
【課題を解決するための手段】
本発明は、上記の如く、ピックアップ及びディスク駆動モータを含むディスク再生機と、前記ディスク駆動モータより軸方向寸法の大きなテープ駆動モータを含むテープ再生機とを、車両内の所定の収納空間に収まる略直方形のキャビネット内に組み込み、キャビネットの前面には、ディスクを前記ディスク再生機へ記録面を下方に向けて挿入させるデイスク挿入口と、コンパクトカセットを前記テープ再生機へテープ面を右方に向けて挿入させるカセット挿入口とを設けた車載用ディスク及びテープ再生装置において、ディスク挿入口の左右幅中心をカセット挿入口の左右幅中心より左方に位置させ、且つディスク挿入口を上側にしてディスク挿入口とカセット挿入口とを上下に重ねて配置し、ディスク駆動モータを、テープ駆動モータより前方で、且つその下面をテープ駆動モータの上面より下方に位置させて配置し、ディスク挿入口の左右幅中心とディスク駆動モータの中心とを結ぶ線を、平面図上においてディスクの挿入方向と一致させ、ディスク駆動モータとキャビネットの左端前部との間を、ピックアップの移動領域としたことを特徴とする。
【０００６】
以上の如く、ディスク挿入口及びテープ挿入口を左右にずらして配置することにより、ディスク駆動モータの下面をテープ駆動モータの上面より下方に位置させることができ、その結果、装置全体の高さ寸法を、ディスク再生機とテープ再生機の各高さ寸法の和よりも小さくすることができる。
また、コンパクトカセットの収容空間をディスクの収容空間の下方に重ねて配置できるので、平面図上の寸法も、各再生機の平面図上の寸法の和より小さくすることができる。
【０００７】
更に、ディスク駆動モータの上面とテープ駆動モータの上面とを同一高さ位置に設定すると、ディスク駆動モータの高さ寸法分だけ、装置全体の高さ寸法を小さくできる。
更に、カセット挿入口を、テープ駆動モータの上面と下面の高さ位置間に設定すると、カセット収容空間の高さ寸法がテープ駆動モータの高さ寸法の範囲に含まれることになり、カセット収容空間の高さ寸法分だけ、装置全体の高さ寸法を小さくできる。
更に、キャビネット内における、テープ再生機の上方で、且つディスク再生機の右方の空間にディスクローディング機構を配置し、キャビネット内における、ディスク再生機の下方で、且つテープ再生機の左方の空間と、キャビネットの後部空間とに回路部品を配置すると、キャビネット内のスペースを有効利用でき、装置全体の小型化が一層容易に行なえる。
【０００８】
【発明の実施形態】
図１は、本発明の一実施形態を示すディスク及びテープ再生装置の外観斜視図である。図中１は、車両内の所定の収納空間(マウンティング・スペース)内に収まる寸法及び形状に作製された略直方形のキャビネットである。このキャビネット１の前面には操作板２が設けられ、この操作板２には、１２センチ径ディスク３(図４参照)を挿入するディスク挿入口４及びコンパクトカセット５(図４参照)を挿入するカセット挿入口６が形成されている。ディスク挿入口４及びカセット挿入口６は、ディスク挿入口４を上側にして重ねて配置され、ディスク挿入口４の左右幅中心４ａをカセット挿入口６の左右幅中心６ａより左方に位置させている。ディスク挿入口４は、ディスク３を、記録面を下方に向けて挿入させる。カセット挿入口６は、コンパクトカセット５を、テープ面を右方に向けて挿入させる。
【０００９】
操作板２の最下位置には、複数のディスク操作ボタン７ａ〜７ｆが横一列に配置され、更に、カセット挿入口６の左方にはカセットイジェクトボタン８ａ、カセット挿入口６の右方にはテープを早送り操作するためのＦＦ操作ボタン８ｂ及びＲＥＷ操作ボタン８ｃがそれぞれ配置されている。また、操作板２の左端部には、ディスク挿入口４の下方位置にディスプレイ９が設けられている。
【００１０】
キャビネット１内に組込まれたディスク再生機１０とテープ再生機１１との位置関係を、図２ないし図４に示す。図２はキャビネット１を省略して示す斜視図、図３は同じく正面図、図４は同じく平面図である。底板１２ａと左右側版１２ｂ,１２ｃを有する下部シャーシ１２内には、図５に示すテープ再生機１１が組込まれ、下部シャーシ１２はキャビネット１に固定される。そして、左右側版１２ｂ,１２ｃ上には、クッションゴム１３及び図示しない圧縮ばねを介して上部シャーシ１４がフローディング状態に取付けられ、この上部シャーシ１４上にディスク再生機１０が取付けられる。上部シャーシ１４は下部シャーシ１２の左方へ大きく張り出しており、ディスク再生機１０をテープ再生機１１に対して大きく左方へ寄せている。
【００１１】
図３中１６はテープ再生機１１のテープ駆動モータである。このモータ１６より前方には、ディスク再生機１１のディスク駆動モータ１７が配置され、ディスク駆動モータ１７の回転軸にはターンテーブル１８が直結されている。テープ駆動モータ１６はディスク駆動モータ１７より軸方向寸法が大きい。ディスク駆動モータ１７は、上面を上部シャーシ１４の下面に取付けられており、テープ駆動モータ１６は、その上面を上部シャーシ１４の下面に近接させて、両モータ１６，１７の上面が略同一高さ位置に設定されている。また、前記カセット挿入口６は、テープ駆動モータ１６の上面と下面の高さ位置間に設定されている。更に、図４の如く、ディスク挿入口４の左右幅中心４ａとディスク駆動モータ１７の中心とを結ぶ線１９を、平面図上においてディスク挿入方向と一致させている。
【００１２】
図４中、符号２０はディスクに記録された情報を再生するピックアップである。このピックアップ２０の移動領域は、図４の如く、ディスク駆動モータ１７とキャビネット１の左端前部との間に設定されており、ピックアップ２０は、ディスク挿入方向に対して斜め方向に移動する。
【００１３】
ディスク再生機１０をテープ再生機１１に対して大きく左方へ寄せているため、図３の如くキャビネット１内には、テープ再生機１１の上方で、且つディスク再生機１０の右方に空間ができる。また、ディスク再生機１０の下方で、且つテープ再生機１１の左方にも空間ができる。更に、キャビネット１の後部にも空間が存在する。
そこで、ディスク再生機１０の右方空間にはディスクローディング機構２１を配置している。ディスクローディング機構２１は、ディスク挿入口４より挿入されたディスク３をディスク再生機１０のディスク再生位置へ搬送し、また、ディスク再生位置からディスク挿入口４へ向けてディスク３を搬送するものである。一方、テープ再生機１１の左方とキャビネット１の後部に存在する空間には、プリント基板上に種々の回路部品２２ａ〜２２ｄを配置している。
【００１４】
前記ディスクローディング機構２１は、図６，７に示す如く、軸２３を中心に回動自在な押し込み部材２４及び連結部材２５と、別の軸２６を中心に回動自在な押し戻し部材２７と、押し戻し部材２７を駆動する回転体２８と、ローディングモータ２９と、このモータ２９の回転力を回転体に伝達する減速ギヤ３０，３１とで構成される。押し込み部材２４及び連結部材２５は、スプリング３２を介して弾性的に一体化されている。押し戻し部材２７はカム溝３３を有し、連結部材２５はカム溝３３に係合するカムピン３４を有して、両部材２７，２５は互いに連動して回動動作する。
【００１５】
また、図８の如く、押し戻し部材２７は係合ピン３５及びギヤ部３６を有し、回転体２８は、図９の如く押圧部３７及びギヤ部３８を有する。押し戻し部材２７のギヤ部３６には常時、中間ギヤ３９が噛合しており、回転体２８のギヤ部３８は、一時的に中間ギヤ３９に噛合する。ディスク３の搬送路の左方には、図７の如く直線状のディスクガイド４０が設けられている。
【００１６】
そこで、図６の如くディスク挿入口４からディスク３を挿入すると、ディスク３の外周で押し戻し部材２７の回動端を押すようになる。押し戻し部材２７が一定量、時計方向へ回動すると、その回動が検出されてモータ２９が起動し、回転体２８を反時計へ回転させる。
回転体２８は、半回転する間に押圧部３７で係合ピン３５を押して押し戻し部材２７を時計方向へ大きく回動させる。このとき、押し込み部材２４は、押し戻し部材２７に連動して時計方向へ回動しながら、押し込み部材２４の回動端でディスク３の外周を押し、ディスク３の外周をディスクガイド４０に押し当てながら、ディスク３を再生位置まで搬送する。ディスク３が再生位置に達した後、押し戻し部材２７は更に時計方向へ回動してディスク３から離反する。このとき、カム溝３３とカムピン３４との係合関係により、押し込み部材２４は僅かに反時計方向へ回動してディスク３から離反し、図７の状態になる。そして、回転体２８を約半回転させた時点で、モータ２９は一旦停止する。
【００１７】
尚、モータ２９が停止する直前に図示しないクランパが下降して、ディスク３をターンテーブル１８上に心出ししながら保持するが、この心出しの段階で、ディスク３はディスクガイド４０から離反される。また、搬送中のディスク３を無理に引き抜こうとした場合には、押し込み部材２４がスプリング３２を撓ませながら反時計方向に回動するので、機構部分を損傷することなく、ディスク３を無事に取出すことができる。
【００１８】
ディスク３を再生位置から外部へ取出すには、ローディングモータ２９を再起動させる。これによって、回転体２８は再び反時計方向へ回転を開始する。このとき、図示しないクランパが直ちに上昇してディスク３をターンテーブル１８から開放した後、今度は回転体２８のギヤ部３８が中間ギヤ３９に噛合して、押し戻し部材２７を反時計方向へ駆動する。一方、押し込み部材２４はいったん時計方向へ回動してディスク３に接近した後、反時計方向へ回動する。ディスク３は、押し戻し部材２７により押し戻されて、ディスク挿入口４から外部へ突出するので、あとは、手でつかんで取出すことができる。そして、回転体２８は半回転したときにモータ２９が停止し、図６の状態に戻る。
【００１９】
以上の構成により、次のような効果が得られる。
即ち、ディスク挿入口４の左右幅中心４ａをテープ挿入口６の左右幅中心６ａより左方にずらして配置して、ディスク駆動モータ１７の上面とテープ駆動モータ１６の上面とを略同一高さ位置に設定したことにより、ディスク再生機１０をテープ再生機１１に対して、少なくともディスク駆動モータ１７の軸方向寸法分、下げることができ、装置全体の高さ寸法を、ディスク再生機１０とテープ再生機１１の各高さ寸法の和よりも小さくすることができる。
【００２０】
また、コンパクトカセット５の収容空間とディスク３の収容空間とを上下に重ねて配置できるので、平面図上の寸法も、両者が重なる分だけ、各再生機の平面図上の寸法の和より小さくすることができる。
更に、カセット挿入口６を、テープ駆動モータ１６の上面以下で、同モータ１６の下面以上の位置に高さ設定したことにより、少なくともカセット収容空間の高さ寸法分だけ、装置全体の高さ寸法を小さくできる。
【００２１】
更に、キャビネット１内における、テープ再生機１１の上方で、且つディスク再生機１０の右方の空間にディスクローディング機構２１を配置し、キャビネット１内における、ディスク再生機１０の下方で、且つテープ再生機の左方の空間と、キャビネットの後部空間とに回路部品２２ａ〜２２ｄを配置したことにより、キャビネット１内のスペースを有効利用でき、装置全体がより小型化できる。その結果、ＤＩＮ規格(幅１８０ミリ、高さ５２ミリ、奥行き１７０ミリ)に適合する車載用ディスク及びテープ再生装置を提供することができ、ラジオ受信機能を付加することも可能になる。
【００２２】
尚、本発明は、前記実施形態に限定されるものではない。例えば、前記実施形態ではテープ駆動モータ１６の上面とディスク駆動モータ１７の上面とを同一高さ位置に設定するものとしたが、要は、ディスク駆動モータ１７の下面をテープ駆動モータ１６の上面よりも下げておけば良いのである。そうすれば、その下げた分だけ装置の高さ寸法を小さくすることができる。また、ディスクローディング機構の構造も、前記実施形態の限らず、種々実施可能である。
【００２３】
更に、テープ再生機１１は再生及び録音の両機能を備えたものとし、ディスク再生機１０の再生音をテープ再生機１１で録音できるようにしても良い。
また、前記実施形態では押しボタン式のテープ再生機を例示したが、図１０に示すように、カセットローディングモータ４３を用いたモータローデング式のテープ再生機４４としても良い。この場合、カセットローディングモータ４３は横にして、ディスク駆動モータ１７の下方空間に配置すると良い。
【００２４】
図１１は、モータローデング式テープ再生機４４を用いた車載用ディスク及びテープ再生装置の外観図である。キャビネット１前面の操作板２には、最下位置にディスク操作用及びテープ操作用の複数の操作ボタン４５ａ〜４５ｆが横一列に配置され、ディスク挿入口４の右方にディスクイジェクトボタン４６ａとカセットイジェクトボタン４６ｂが配置される。図１０及び図１１に示す実施形態においても、前記実施形態と同様の効果を得ることができる。
【００２５】
本実施例では、ディスク再生機１０がクッションゴム１３及び図示しない圧縮ばねを介して上部シャーシ１４にフローティングされた状態で取付けたが、更に耐振動特性を求めるには、電気的にピックアップの耐震性を高める耐震回路を併用するとよい。この場合、ディスク再生機１０のフローティングストロークを小さくできるので、その分だけ装置の高さ寸法を小さくすることができる。
【発明の効果】
【００２５】
以上のように、本発明によれば、ディスク挿入口及びテープ挿入口を左右にずらして配置し、ディスク駆動モータの下面をテープ駆動モータの上面より下方に位置させすことにより、装置全体の高さ寸法を小さくできる。
また、コンパクトカセットの収容空間をディスクの収容空間の下方に重ねて配置することにより、平面図上の寸法も小さくできる。
【００２６】
更に、ディスク駆動モータの上面とテープ駆動モータの上面とを同一高さ位置に設定することにより、装置全体の高さ寸法を一層小さくできる。
更に、カセット挿入口を、テープ駆動モータの上面と下面の高さ位置間に設定することによっても、カセット収容空間の高さ寸法がテープ駆動モータの高さ寸法の範囲に含まれることになるため、装置全体の高さ寸法を一層小さくできる。
【００２７】
更に、キャビネット内における、テープ再生機の上方で、且つディスク再生機の右方の空間にディスクローディング機構を配置し、キャビネット内における、ディスク再生機の下方で、且つテープ再生機の左方の空間と、キャビネットの後部空間とに回路部品を配置すると、キャビネット内のスペースを有効に利用することができ、装置全体の小型化が一層容易に行なえ、ＤＩＮ規格に適合する車載用ディスク及びテープ再生装置を提供することができる。
【図面の簡単な説明】
【図１】本発明の一実施形態を示す外観斜視図
【図２】同実施形態のキャビネットを省略した斜視図
【図３】同実施形態のキャビネットを省略した正面図
【図４】同実施形態のキャビネットを省略した平面図
【図５】同実施形態のテープ再生機を示す斜視図
【図６】同実施形態のディスクローディング機構を示す平面図
【図７】同実施形態のディスクローディング機構を示す平面図
【図８】同実施形態のディスクローディング機構の一部を示す平面図
【図９】同実施形態のディスクローディング機構の一部を示す平面図
【図１０】本発明の別の実施形態のテープ再生機を示す平面図
【図１１】本同実施形態の外観斜視図
【符号の説明】
１&#9;キャビネット
３&#9;ディスク
４&#9;ディスク挿入口
４ａ&#9;左右幅中心
５&#9;コンパクトカセット
６&#9;カセット挿入口
６ａ&#9;左右幅中心
１０&#9;ディスク再生機
１１&#9;テープ再生機
１６&#9;テープ駆動モータ
１７&#9;ディスク駆動モータ
１９&#9;中心４ａとモータ１７の中心とを結ぶ線
２０&#9;ピックアップ
２１&#9;ディスクローディング機構
２２&#9;回路部品
【図１】
0004083865.tif 000002
【図２】
0004083865.tif 000003
【図３】
0004083865.tif 000004
【図４】
0004083865.tif 000005
【図５】
0004083865.tif 000006
【図６】
0004083865.tif 000007
【図７】
0004083865.tif 000008
【図８】
0004083865.tif 000009
【図９】
0004083865.tif 000010
【図１０】
0004083865.tif 000011
【図１１】
0004083865.tif 000012